(57)【要約】【課題】  一斉配信プッシュ型情報提供サービスを電波状態に依存せずに受信し、当該サービスを安定受信できる携帯端末を提供する。【解決手段】  携帯端末１０は、近傍の基地局１００から携帯端末信号を受信する携帯端末信号受信手段１と、他の携帯端末１０ＡからＦＭ信号を受信する変調信号受信手段２と、携帯端末信号及びＦＭ信号の文字情報を緊急情報テーブル３ａに記憶する受信情報記憶手段３と、この文字情報から緊急情報を検知する緊急情報検知手段４と、この携帯端末信号をＦＭ信号に変換する変調信号変換手段５と、このＦＭ信号を電波出力する変調信号出力手段６と、現在地が電波圏外かを判断する電波圏外判断手段７と、電波圏外の場合に周波数管理テーブル８ａからＦＭ信号の受信周波数を検索する受信周波数検索手段８と、他の携帯端末１０ＡからＦＭ信号受信時に前記周波数管理テーブル８ａから受信周波数と異なる周波数にこのＦＭ信号を変更する周波数変更手段９とを備える。【選択図】    図１
2010068324.tif 000002
【特許請求の範囲】
【請求項１】
携帯端末間の通信時に中継されて文字情報及び／又は音声情報を含む携帯端末信号を受信する携帯端末信号受信手段を備え、災害時に配信される緊急情報を当該携帯端末信号として受信する携帯端末において、
変調信号を受信する変調信号受信手段と、
前記携帯端末信号及び前記変調信号に含まれる文字情報及び／又は音声情報を受信情報として記憶する受信情報記憶手段と、
前記記憶された受信情報に基づいて前記緊急情報の配信を検知する緊急情報検知手段と、
前記検知された緊急情報を含む携帯端末信号を前記変調信号に変換する変調信号変換手段と、
前記変換された緊急情報を含む変調信号を電波として出力する変調信号出力手段とを備える
携帯端末。
【請求項２】
請求項１に記載の携帯端末において、
前記変調信号変換手段が、前記変調信号としてＦＭ信号を用いる
携帯端末。
【請求項３】
請求項１又は請求項２に記載の携帯端末において、
受信される電波の状態に基づいて、現在地が電波の受信不可能な電波圏外かを判断する電波圏外判断手段と、
前記電波圏外の場合に、前記変調信号を受信するための周波数を検索する受信周波数検索手段とを備える
携帯端末。
【請求項４】
請求項１ないし請求項３に記載の携帯端末において、
前記緊急情報を含む変調信号を受信した場合に、当該受信した周波数とは異なる周波数に当該変調信号を変更する周波数変更手段を備え、
前記変調信号出力手段が、前記周波数を変更された変調信号を電波として出力する
携帯端末。
【請求項５】
請求項１ないし請求項４に記載の携帯端末において、
前記変調信号出力手段が、一定時間及び／又は一定回数の範囲内で前記変換された変調信号の出力を繰り返す
携帯端末。
【請求項６】
携帯端末間の通信時に中継されて文字情報及び／又は音声情報を含む携帯端末信号を受信する携帯端末信号受信工程を備え、災害時に配信される緊急情報を当該携帯端末信号として受信する携帯端末制御方法において、
変調信号を受信する変調信号受信工程と、
前記携帯端末信号及び前記変調信号に含まれる文字情報及び／又は音声情報を受信情報として記憶する文字情報記憶工程と、
前記記憶された文字情報に基づいて前記緊急情報の配信を検知する緊急情報検知工程と、
前記検知された緊急情報を含む携帯端末信号を前記変調信号に変換する変調信号変換工程と、
前記変換された緊急情報を含む変調信号を電波として出力する変調信号出力工程とを備える
携帯端末制御方法。
【請求項７】
携帯端末間の通信時に中継されて文字情報及び／又は音声情報を含む携帯端末信号を受信する携帯端末信号受信手段してコンピュータを機能させ、災害時に配信される緊急情報を当該携帯端末信号として受信する携帯端末制御プログラムにおいて、
変調信号を受信する変調信号受信手段、
前記携帯端末信号及び前記変調信号に含まれる文字情報及び／又は音声情報を受信情報として記憶する文字情報記憶手段、
前記記憶された文字情報に基づいて前記緊急情報の配信を検知する緊急情報検知手段、
前記検知された緊急情報を含む携帯端末信号を前記変調信号に変換する変調信号変換手段、
前記変換された緊急情報を含む変調信号を電波として出力する変調信号出力手段としてコンピュータを機能させる
携帯端末制御プログラム。
【発明の詳細な説明】
【技術分野】
【０００１】
本発明は、一斉配信されるプッシュ型情報提供サービスを受信可能な携帯端末に関して、特に電波の受信状態に依存せずに当該サービスを受信し、当該サービスの情報を安定的に受け取ることができる携帯端末の提供を目的とする。
【背景技術】
【０００２】
現在の通信システムは、近年多発する大規模な災害及びその被害の甚大化を受けて、災害が発生した場合には、被害を抑えるために災害の対象エリアの人々に災害情報を一刻も早く伝達することが要求されている。移動体通信事業者は、この要求に応えるために、気象庁が配信する速報に基づいて、この対象エリアに含まれる携帯端末に緊急速報を一斉配信するサービスを展開している。このサービスとしては、緊急速報を受信した携帯端末にポップアップ表示や専用の警告音を発生させて緊急速報を通知するものがあり、さらに一層のサービス内容の向上が望まれている。
【０００３】
従来の携帯端末は、災害情報配信装置から配信される災害発生情報に各携帯端末に搭載されている特定のアプリケーションを起動させるコマンドが含まれ、災害発生情報の受信時に当該コマンドにより位置情報を強制的に取得し、当該位置情報を含む転送要求を災害情報配信装置に送出し、当該位置情報に基づいて災害情報配信装置により個別に作成された最適な避難情報を受信するものがある（例えば、特許文献１参照）。
【０００４】
また、従来の携帯端末は、災害時に災害情報をＦＭ信号で送受信するためにＦＭ信号の送受信機能を備えると仮定した場合には、所定の位置情報に対応付けてＦＭ放送局で使用されている放送局使用周波数をあらかじめ記憶しておき、ネットワークを介して受信した所定の位置情報に基づいて現在位置を特定し、特定した現在位置から放送局使用周波数を競合する可能性のない周波数を選定して、選定された周波数を発信周波数として設定するとともに、受信周波数を設定するための受信機操作情報（受信周波数を設定するための操作手順に関する情報）をあらかじめ記憶しておき、この受信操作情報を用いて選定された周波数を受信周波数として設定することにより、従来手動で行われていた周波数の設定を自動で行うことによりユーザに負担をかけることなく、ＦＭ放送局など、他で利用されている周波数と競合しない周波数の設定を可能とするものがある（例えば、特許文献２参照）。
【特許文献１】特開２００７−１３５０００号公報
【特許文献２】特開２００８−１０９４９６号公報
【発明の開示】
【発明が解決しようとする課題】
【０００５】
しかし、従来の携帯端末は、電波の受信不可能な電波圏外に所在する場合には、配信された緊急速報を受信することができないために、この携帯端末の所有者に緊急速報を報知することができないという重大な問題を有する。
【０００６】
本発明は、前記課題を解消するためになされたもので、電波の受信不可能な電波圏外に所在する場合にも、変調信号を用いて端末相互間で緊急速報を送受信し、電波の受信状態に依存せずに緊急速報を安定的に受け取ることができる携帯端末の提供を目的とする。
【課題を解決するための手段】
【０００７】
本願に開示する携帯端末は、携帯端末間の通信時に中継されて文字情報及び／又は音声情報を含む携帯端末信号を受信する携帯端末信号受信手段を備え、災害時に配信される緊急情報を当該携帯端末信号として受信する携帯端末において、変調信号を受信する変調信号受信手段と、前記携帯端末信号及び前記変調信号に含まれる文字情報及び／又は音声情報を受信情報として記憶する受信情報記憶手段と、前記記憶された受信情報に基づいて前記緊急情報の配信を検知する緊急情報検知手段と、前記検知された緊急情報を含む携帯端末信号を前記変調信号に変換する変調信号変換手段と、前記変換された緊急情報を含む変調信号を電波として出力する変調信号出力手段とを備えるものである。
【０００８】
このように、本願に開示する携帯端末は、前記携帯端末信号及び前記変調信号に含まれる文字情報及び／又は音声情報を受信情報として記憶し、当該受信情報から緊急情報の配信を検知し、当該検知された緊急情報を含む携帯端末信号を前記変調信号に変換し、当該変調信号を電波として出力することから、前記緊急情報を電波状態に依存せずに携帯端末信号以外の変調信号を新たに緊急情報として携帯端末から発信して広範囲の携帯端末に伝達することとなり、緊急情報の伝達性を高めることができる。
【０００９】
また、本願に開示する携帯端末は必要に応じて、前記変調信号変換手段が、前記変調信号としてＦＭ信号を用いるものである。このように、本願に開示する携帯端末は、前記変調信号としてより広い範囲に伝播するＦＭ信号を用いることから、取扱いが容易で広範囲に前記変調信号を伝達できることとなり、導入の容易性を高めつつ緊急情報の伝達性を高めることができる。
【００１０】
また、本願に開示する携帯端末は必要に応じて、受信される電波の状態に基づいて、現在地が電波の受信不可能な電波圏外かを判断する電波圏外判断手段と、前記電波圏外の場合に、前記変調信号を受信するための周波数を検索する受信周波数検索手段とを備えるものである。このように、本願に開示する携帯端末は、現在地が前記電波圏外の場合には、前記変調信号を受信するための周波数を検索することから、前記電波圏外の場合には、前記変調信号の受信の確実性を高めることとなり、緊急情報の伝達漏れを抑え、緊急情報の伝達性を高めることができる。
【００１１】
また、本願に開示する携帯端末は必要に応じて、前記緊急情報を含む変調信号を受信した場合に、当該受信した周波数とは異なる周波数に当該変調信号を変更する周波数変更手段を備え、前記変調信号出力手段が、前記周波数を変更された変調信号を電波として出力するものである。このように、本願に開示する携帯端末は、前記変調信号を受信した場合に、受信した周波数とは異なる周波数にこの変調信号を変更して電波として出力することから、多種の周波数にて前記変調信号が発信されることとなり、前記電波圏外に所在する携帯端末における前記変調信号の受信の確実性を高めることとなり、緊急情報の伝達漏れを抑え、緊急情報の伝達性を高めることができる。
【００１２】
また、本願に開示する携帯端末は必要に応じて、前記変調信号出力手段が、一定時間及び／又は一定回数の範囲内で前記変換された変調信号の出力を繰り返すものである。このように、本願に開示する携帯端末は、一定時間及び／又は一定回数の範囲内で前記変換された変調信号の出力を繰り返すことから、携帯端末の送受信のタイミング同期を図ることとなり、緊急情報の伝達漏れを抑え、緊急情報の伝達性を高めることができる。
【発明を実施するための最良の形態】
【００１３】
（本発明の第１の実施形態）
以下、本発明の第１の実施形態に係る携帯端末を、図１から図７に基づいて説明する。
この図１は、本発明の第１の実施形態に係る携帯端末の構成を示すブロック図、図２は図１に記載された携帯端末のデータレイアウト例及び格納データ例、図３は図１に記載された携帯端末を中心とする全体構成図、図４は図１に記載された携帯端末のフローチャート、図５は図１に記載された携帯端末の発信周波数確定のフローチャート、図６は図１に記載された携帯端末のＦＭ信号受信のフローチャート、図７は図１に記載された携帯端末のＦＭ受信起動フラグデータを追加したブロック図及びＦＭ受信起動フラグデータの設定値例を示す。
【００１４】
図１において、本実施形態に係る携帯端末としての携帯端末１０は、最も受信感度の高い基地局１００から文字情報を含み携帯端末間を中継される携帯端末信号を受信する携帯端末信号受信手段１と、この携帯端末１０と同様の構成を有する他の携帯端末１０Ａから変調信号であるＦＭ信号を受信する変調信号受信手段２と、この携帯端末信号及びこのＦＭ信号に含まれる文字情報を受信情報として緊急情報テーブル３ａに記憶する受信情報記憶手段３と、この記憶された受信情報に基づいて緊急情報の配信を検知する緊急情報検知手段４と、この検知された緊急情報を含む携帯端末信号を前記ＦＭ信号に変換する変調信号変換手段５と、この変換された緊急情報を含むＦＭ信号を電波として出力する変調信号出力手段６と、受信される電波の状態に基づいて、現在地が電波の受信不可能な電波圏外かを判断する電波圏外判断手段７と、電波圏外の場合に、周波数を管理する周波数管理テーブル８ａに基づいてＦＭ信号を受信するための周波数を検索する受信周波数検索手段８と、他の携帯端末１０Ａから前記緊急情報を含むＦＭ信号を受信した場合に、前記周波数管理テーブル８ａに基づいて受信した周波数とは異なる周波数にこの変調信号を変更する周波数変更手段９とを備える。また、この携帯端末１０と同様の構成を有する他の携帯端末１０Ｂは、前記変調信号出力手段６から出力されたＦＭ信号を受信する。
【００１５】
前記緊急情報テーブル３ａは、図２（ａ−１）に示すように、テーマＩＤ項目と、通番項目と、情報内容項目とを項目として備えることができる。このテーマＩＤ項目は、緊急情報の送信元やテーマ、例えば、気象庁からの緊急地震速報を示す。また、この通番項目は、このテーマＩＤ項目ごとに固有となる番号を示す。また、この情報内容項目は、受信した緊急情報のメッセージ内容を示す。
【００１６】
また、前記周波数管理テーブル８ａは、同図（ｂ−１）に示すように、項番項目と、周波数項目と、使用可能フラグ項目とを項目として備えることができる。この項番項目は、通番で採番された固有の番号を示す。また、この周波数項目は、利用可能な範囲のＦＭ信号の周波数を示す。この使用可能フラグ項目はこの周波数項目に記載された周波数が現在使用中か否かをフラグにて示し、例えば、使用中の場合には数値の１、未使用の場合には数値の０を示す。
【００１７】
また、前記携帯端末１０は、図３（ａ）に示すように、前記基地局１００からの電波を受信可能な電波受信可能エリア１００ａの圏内に含まれる携帯端末１０ａと、この電波受信可能エリア１００ａの圏外に存在して他の携帯端末１０との無線通信が一切行えない携帯端末１０ｂとの２種類が共存する。
【００１８】
以下、前記構成に基づく本実施形態の携帯端末の動作について説明する。
まず、前記携帯端末１０ａは、図４に示すように、前記携帯端末信号受信手段１により前記基地局１００を中継した電子メールを受信する（Ｓ１）。前記受信情報記憶手段３は、この電子メールを一時的に記憶する。
【００１９】
前記緊急情報検知手段４は、この記憶された電子メールが緊急速報の配信メールかを判断する（Ｓ２）。前記緊急情報検知手段４は、この電子メールが緊急速報と判断した場合には、前記緊急情報テーブル３ａにこの緊急速報が登録されているかを検索し、この緊急速報が既に受信済みかを判断する（Ｓ３）。
【００２０】
前記緊急情報検知手段４は、この判断において、前記Ｓ１で受信した緊急速報と一致する前記テーマＩＤ項目及び前記通番項目の組み合わせを有する緊急速報が前記緊急情報テーブル３ａに既に登録されているかをチェックする。前記緊急情報検知手段４は、この緊急速報を既に受信済みと判断した場合には、前記受信情報記憶手段３による前記一時的に記憶した電子メールの削除とともに、この電子メールを破棄する（Ｓ４）。この電子メールの破棄により、重複する緊急速報の受信を防止することとなり、携帯端末１０ａの計算機資源を有効活用することができる。
【００２１】
また、前記携帯端末１０ａは、前記Ｓ３の判断により、この緊急速報を未受信の場合には、携帯端末の表示画面へのポップアップ表示や専用の警告音の発生によりこの緊急速報を通知する（Ｓ５）。前記受信情報記憶手段３は、この通知とともに、この緊急速報を前記緊急情報テーブル３ａに登録する（Ｓ６）。
【００２２】
前記受信情報記憶手段３は、例えば、図２（ａ−２）に示すように、気象庁からの地震速報を受信した場合には、テーマＩＤ項目が気象庁からの地震速報を意味する「０００５」、通番項目が「０００２」、情報内容項目が受信したメッセージ内容である「▲▲▲で地震発生。強い揺れに備えてください。」と記載された内容の緊急速報レコードを登録することができる。前記変調信号変換手段５は、前記図４に示すように、この緊急速報の電子メールを、ＦＭ信号として送信可能な形式に変換する（Ｓ７）。
【００２３】
前記周波数変更手段９は、前記緊急速報をＦＭ信号として送信するために、前記周波数管理テーブル８ａに基づいて、このＦＭ信号の発信周波数を確定して設定する（Ｓ８）。前記周波数変更手段９は、図５に示すように、この周波数設定において、まず乱数により決定された周波数を検索開始位置として、前記周波数管理テーブル８ａの検索を開始する（Ｓ８−１）。
【００２４】
前記周波数変更手段９は、この乱数により決定された周波数が現在使用中かを確認する（Ｓ８−２）。前記周波数変更手段９は、この確認において、前記図２（ｂ−２）に示すように、使用可能フラグ項目の値から現在使用中かの確認を行うことができる。前記周波数変更手段９は、例えば、同図において、この使用可能フラグ項目の値から周波数１００ＭＨｚが現在使用中であり、周波数１１０ＭＨｚが現在未使用であることを確認することができる。
【００２５】
前記周波数変更手段９は、前記図５に示すように、この確認に関して、前記周波数管理テーブル８ａに登録された周波数を全て検索したかを判断する（Ｓ８−３）。前記周波数変更手段９は、この判断により全ての周波数を検索した場合には、ＦＭ信号により発信用に作成された緊急速報メールを破棄する（Ｓ８−４）。
【００２６】
また、この判断により未検索の周波数が存在する場合には、前記周波数管理テーブル８ａにおける次回の検索位置を設定する（Ｓ８−５）。前記周波数変更手段９は、この設定された検索位置に基づいて、前記Ｓ８−２以降と同様の処理を再度行う。
【００２７】
また、前記周波数変更手段９は、前記Ｓ８−２における周波数の確認により、現在使用されていない周波数を検知した場合には、この検知された周波数を前記ＦＭ信号の発信周波数として確定する（Ｓ８−６）。前記変調信号出力手段６は、前記図４に示すように、このＳ８−６で確定された周波数にて前記ＦＭ信号を発信する（Ｓ９）。
【００２８】
また、前記変調信号出力手段６は、このＳ９において、乱数を用いた乱数タイマーにより決定された時間をこのＦＭ信号発信までの送信待ち時間とすることができる。前記変調信号出力手段６は、この乱数タイマーにより、前記ＦＭ信号を同様に発信する他の携帯端末と前記ＦＭ信号の発信タイミングをずらすこととなり、この他の携帯端末の発信するＦＭ信号との混信を抑えることができる。
【００２９】
また、前記変調信号出力手段６は、このＳ９において、ＦＭ信号を一定回数又は一定時間の範囲内で、繰り返し再送することもできる。前記変調信号出力手段６は、この再送により、受信側の携帯端末１０における受信用周波数のチューニングによるタイムラグを埋めて前記携帯端末１０の送受信のタイミング同期を図ることとなり、緊急情報の伝達漏れを抑え、緊急情報の伝達性を高めることができる。
【００３０】
次に、図３（ａ）に示すように、前記基地局１００の電波受信可能エリア１００ａの圏外に存在して他の携帯端末１０との無線通信が一切行えず、前記基地局１００からの緊急速報を受信できない位置に所在する携帯端末１０ｂの動作について説明する。この携帯端末１０ｂにおける電波圏外判断手段７は、図６に示すように、電波の受信不可能な電波圏外かを判断する（Ｓ１０）。前記受信周波数検索手段８は、この判断により、電波圏外の場合には、前記周波数管理テーブル８ａの検索開始位置の周波数について初期設定を行う（Ｓ１１）。
【００３１】
前記受信周波数検索手段８は、前記周波数管理テーブル８ａにおけるこの検索対象の周波数の状態をチェックする（Ｓ１２）。前記受信周波数検索手段８は、このチェックによりこの検索対象の周波数においてＦＭ信号を受信中か判断する（Ｓ１３）。前記受信情報記憶手段３は、この判断により、ＦＭ信号を受信中の場合には、前記変調信号受信手段２により受信されたＦＭ信号に含まれる文字情報を電子メール形式にて一時的に記憶する（Ｓ１４）。この電子メール形式による取扱いにより、情報取得の確実性、情報保持性及び視認性を高めることができる。
【００３２】
また、前記受信周波数検索手段８は、前記Ｓ１３の判断により、ＦＭ信号を未受信の場合には、前記周波数管理テーブル８ａに登録された周波数を全て検索したか判断する（Ｓ１５）。前記受信周波数検索手段８は、この判断により、全周波数を検索した場合には、前記Ｓ１１以降の処理を再度行う。前記受信周波数検索手段８は、この判断により、全周波数を検索していない場合には、前記周波数管理テーブル８ａにおける次回の検索位置を設定する（Ｓ１６）。前記受信周波数検索手段８は、この設定された検索位置に基づいて、前記Ｓ１２以降と同様の処理を再度行う。
【００３３】
前記携帯端末１０ｂは、このＦＭ信号として受信された緊急速報を前記図４と同様に処理する。このように、前記携帯端末１０ｂは、図３（ｂ）に示すように、前記受信周波数検索手段８によるＦＭ信号受信により、緊急速報をＦＭ信号として受信できることとなり、 基地局からの電波状態が悪い所にある携帯端末においても災害情報などのプッシュ型情報サービスを享受することができる。
【００３４】
なお、前記周波数変更手段９は、前記周波数管理テーブル８ａに基づいて、前記図４に記載されたＳ８にて、前記Ｓ１４で受信したＦＭ信号と同一の周波数を除外して、このＦＭ信号の発信周波数を設定することもできる。前記周波数変更手段９は、この除外により、複数の周波数のＦＭ信号にて緊急速報が発信することとなり、緊急情報の伝達漏れを抑え、緊急情報の伝達性を高めることができる。
【００３５】
また、前記電波圏外判断手段７は、前記Ｓ１０にて電波圏外かの判断のみにより無条件にＦＭ信号の受信待ちを行ったが、ＦＭ受信待ちの判断を示すＦＭ受信起動フラグの設定値に応じて行うこともできる。前記携帯端末１０は、このＦＭ受信起動フラグを格納するＦＭ受信起動フラグデータ７ａを備える。このＦＭ受信起動フラグデータ７ａは、図７（ａ）に示すように、前記電波圏外判断手段７に読み込まれる。
【００３６】
このＦＭ受信起動フラグは、例えば、同図（ｂ）に示すように、”０”、”１”及び”２”の３つの設定値の設定が可能である。この設定値”０”は、ＦＭ受信監視動作の停止を示す。また、この設定値”１”は、初期値として設定され、前記電波圏外の検出時にＦＭ受信監視動作を行う自動受信を示す。また、この設定値”２”は、前記電波圏内／圏外に関わらずＦＭ受信監視動作を行う強制受信を示す。前記電波圏外判断手段７は、このＦＭ受信起動フラグの設定値に応じたＦＭ信号の受信待ちを行うこととなり、利用者の利便性を向上させることができる。
【００３７】
また、前記実施形態では、電子メール形式にて文字化された緊急速報をＦＭ信号にて送信したが、この送信形態に限定されることはなく、例えば、音声情報としての緊急速報をＦＭ信号にて送信することも可能である。また、緊急速報がＦＭ信号として送信されることから、このＦＭ信号を受信する機器は、前記実施形態に示した携帯端末に限定されず、例えばＦＭラジオにおいても緊急速報を受信することができる。また、前記実施形態では、ＦＭ信号を変調信号として使用したが、この送信方法に限定されることはなく、他の変調信号、例えば、アナログ変調のＡＭ信号、ＰＭ信号を利用することも可能である。
また、本実施形態に係る携帯端末のハードウエア構成は、ＣＰＵ及びメモリを含む制御部と、ベースバンドＬＳＩ及び無線回路を含み外部との情報伝達を行う無線部と、ディスプレイ、スピーカ、入力キー及びマイクを含む内部インターフェース部と、携帯端末アンテナ及びＦＭアンテナを含む外部インターフェース部と、各機能部を接続するバスからなる。
【００３８】
［付記］以上の実施例を含む実施形態に関し、更に以下の付記を開示する。
（付記１）携帯端末間の通信時に中継されて文字情報及び／又は音声情報を含む携帯端末信号を受信する携帯端末信号受信手段を備え、災害時に配信される緊急情報を当該携帯端末信号として受信する携帯端末において、変調信号を受信する変調信号受信手段と、前記携帯端末信号及び前記変調信号に含まれる文字情報及び／又は音声情報を受信情報として記憶する受信情報記憶手段と、前記記憶された受信情報に基づいて前記緊急情報の配信を検知する緊急情報検知手段と、前記検知された緊急情報を含む携帯端末信号を前記変調信号に変換する変調信号変換手段と、前記変換された緊急情報を含む変調信号を電波として出力する変調信号出力手段とを備える携帯端末。
【００３９】
（付記２）前記変調信号変換手段が、前記変調信号としてＦＭ信号を用いる付記１記載の携帯端末。
【００４０】
（付記３）受信される電波の状態に基づいて、現在地が電波の受信不可能な電波圏外かを判断する電波圏外判断手段と、前記電波圏外の場合に、前記変調信号を受信するための周波数を検索する受信周波数検索手段とを備える付記１又は付記２記載の携帯端末。
【００４１】
（付記４）前記緊急情報を含む変調信号を受信した場合に、当該受信した周波数とは異なる周波数に当該変調信号を変更する周波数変更手段を備え、前記変調信号出力手段が、前記周波数を変更された変調信号を電波として出力する付記１ないし付記３記載の携帯端末。
【００４２】
（付記５）前記変調信号出力手段が、一定時間及び／又は一定回数の範囲内で前記変換された変調信号の出力を繰り返す付記１ないし付記４に記載の携帯端末。
【００４３】
（付記６）携帯端末間の通信時に中継されて文字情報及び／又は音声情報を含む携帯端末信号を受信する携帯端末信号受信工程を備え、災害時に配信される緊急情報を当該携帯端末信号として受信する携帯端末制御方法において、変調信号を受信する変調信号受信工程と、前記携帯端末信号及び前記変調信号に含まれる文字情報及び／又は音声情報を受信情報として記憶する文字情報記憶工程と、前記記憶された文字情報に基づいて前記緊急情報の配信を検知する緊急情報検知工程と、前記検知された緊急情報を含む携帯端末信号を前記変調信号に変換する変調信号変換工程と、前記変換された緊急情報を含む変調信号を電波として出力する変調信号出力工程とを備える携帯端末制御方法。
【００４４】
（付記７）前記変調信号変換工程が、前記変調信号としてＦＭ信号を用いる付記６記載の携帯端末制御方法。
【００４５】
（付記８）受信される電波の状態に基づいて、現在地が電波の受信不可能な電波圏外かを判断する電波圏外判断工程と、前記電波圏外の場合に、前記変調信号を受信するための周波数を検索する受信周波数検索工程とを備える付記６又は付記７記載の携帯端末制御方法。
【００４６】
（付記９）前記緊急情報を含む変調信号を受信した場合に、当該受信した周波数とは異なる周波数に当該変調信号を変更する周波数変更工程を備え、前記変調信号出力工程が、前記周波数を変更された変調信号を電波として出力する付記６ないし付記８記載の携帯端末制御方法。
【００４７】
（付記１０）前記変調信号出力工程が、一定時間及び／又は一定回数の範囲内で前記変換された変調信号の出力を繰り返す付記６ないし付記９に記載の携帯端末制御方法。
【００４８】
（付記１１）携帯端末間の通信時に中継されて文字情報及び／又は音声情報を含む携帯端末信号を受信する携帯端末信号受信手段してコンピュータを機能させ、災害時に配信される緊急情報を当該携帯端末信号として受信する携帯端末制御プログラムにおいて、変調信号を受信する変調信号受信手段、前記携帯端末信号及び前記変調信号に含まれる文字情報及び／又は音声情報を受信情報として記憶する文字情報記憶手段、前記記憶された文字情報に基づいて前記緊急情報の配信を検知する緊急情報検知手段、前記検知された緊急情報を含む携帯端末信号を前記変調信号に変換する変調信号変換手段、前記変換された緊急情報を含む変調信号を電波として出力する変調信号出力手段としてコンピュータを機能させる携帯端末制御プログラム。
【００４９】
（付記１２）前記変調信号変換手段が、前記変調信号としてＦＭ信号を用いる付記１１記載の携帯端末制御プログラム。
【００５０】
（付記１３）受信される電波の状態に基づいて、現在地が電波の受信不可能な電波圏外かを判断する電波圏外判断手段、前記電波圏外の場合に、前記変調信号を受信するための周波数を検索する受信周波数検索手段を備える付記１１又は付記１２記載の携帯端末制御プログラム。
【００５１】
（付記１４）前記緊急情報を含む変調信号を受信した場合に、当該受信した周波数とは異なる周波数に当該変調信号を変更する周波数変更手段を備え、前記変調信号出力手段が、前記周波数を変更された変調信号を電波として出力する付記１ないし付記１３記載の携帯端末制御プログラム。
【００５２】
（付記１５）前記変調信号出力手段が、一定時間及び／又は一定回数の範囲内で前記変換された変調信号の出力を繰り返す付記１１ないし付記１４に記載の携帯端末制御プログラム。
【図面の簡単な説明】
【００５３】
【図１】本発明の第１の実施形態に係る携帯端末の構成を示すブロック図
【図２】本発明の第１の実施形態に係る携帯端末のデータレイアウト例及び格納データ例
【図３】本発明の第１の実施形態に係る携帯端末を中心とする全体構成図
【図４】本発明の第１の実施形態に係る携帯端末のフローチャート
【図５】本発明の第１の実施形態に係る携帯端末の発信周波数確定のフローチャート
【図６】本発明の第１の実施形態に係る携帯端末のＦＭ信号受信のフローチャート
【図７】本発明の第１の実施形態に係る携帯端末のＦＭ受信起動フラグデータを追加したブロック図及びＦＭ受信起動フラグデータの設定値例
【符号の説明】
【００５４】
１０  携帯端末
１０ａ、１０ｂ  携帯端末
１０Ａ、１０Ｂ  携帯端末
１  携帯端末信号受信手段
２  変調信号受信手段
３  受信情報記憶手段
３ａ  緊急情報テーブル
４  緊急情報検知手段
５  変調信号変換手段
６  変調信号出力手段
７  電波圏外判断手段
７ａ  ＦＭ受信起動フラグデータ
８  受信周波数検索手段
８ａ  周波数管理テーブル
９  周波数変更手段
１００  基地局
【図１】
2010068324.tif 000003
【図２】
2010068324.tif 000004
【図３】
2010068324.tif 000005
【図７】
2010068324.tif 000006
【図４】
2010068324.tif 000007
【図５】
2010068324.tif 000008
【図６】
2010068324.tif 000009